(57)【要約】【課題】簡単な構成で、グレアを抑制し、きらめき光による演出効果を得ることができる照明装置を提供する。【解決手段】照明装置10は、発光素子25、光透過部材13およびカバー14を備える。光透過部材13は、発光素子25に所定の間隔をあけて対向され、発光素子25からの光が透過する所定の光透過率の光透過領域29を有するとともに光透過領域29の一部に光透過率が相対的に大きい複数の高透過率部30を有する。カバー14は、発光素子25および光透過部材13を覆い、光透過性を有する。【選択図】図１
2014211996.tif 000002
【特許請求の範囲】
【請求項１】
発光素子と；
発光素子に所定の間隔をあけて対向され、発光素子からの光が透過する所定の光透過率の光透過領域が設けられているとともに光透過領域の一部に光透過率が相対的に大きい複数の高透過率部が設けられている光透過部材と；
発光素子および光透過部材を覆う光透過性を有するカバーと；
を具備していることを特徴とする照明装置。
【請求項２】
カバーは、光透過部材を透過した光が入射する面に、カバーから出射する光の出射方向を制御する光学制御手段を有している
ことを特徴とする請求項１記載の照明装置。
【請求項３】
光学制御手段は、曲面形状の複数のレンズ部によって形成されている
ことを特徴とする請求項２記載の照明装置。
【発明の詳細な説明】
【技術分野】
【０００１】
本発明の実施形態は、発光素子を用いた照明装置に関する。
【背景技術】
【０００２】
従来、発光素子およびこの発光素子を覆う光透過性を有するカバーを備えた照明装置がある。
【０００３】
また、光源として複数の発光素子を用いたシーリングライトにおいては、一般に、発光素子を乳白色のセードで覆い、グレアを抑制している。さらに、セードに複数の輝きを点在させ、きらめいて見えるように演出効果を高めたものがある。これは、透明なセードの内面に光拡散領域を形成するとともに光拡散領域中に複数の透明なドットを形成する処理を施しており、複数の発光素子からの光が複数の透明なドットからセードを透過することにより、セードに複数の輝きが点在し、きらめいて見えるようにしている。
【先行技術文献】
【特許文献】
【０００４】
【特許文献１】特開２０１２−２０６６０３号公報
【発明の概要】
【発明が解決しようとする課題】
【０００５】
従来、グレアを抑制し、きらめき光による演出効果を得るには、セード自体に処理を施す必要があり、簡単にできなかった。
【０００６】
本発明が解決しようとする課題は、簡単な構成で、グレアを抑制し、きらめき光による演出効果を得ることができる照明装置を提供することである。
【課題を解決するための手段】
【０００７】
実施形態の照明装置は、発光素子、光透過部材およびカバーを備える。光透過部材は、発光素子に所定の間隔をあけて対向され、発光素子からの光が透過する所定の光透過率の光透過領域を有するとともに光透過領域の一部に光透過率が相対的に大きい複数の高透過率部を有する。カバーは、発光素子および光透過部材を覆い、光透過性を有する。
【発明の効果】
【０００８】
本発明によれば、発光素子とカバーとの間に光透過部材を配置するだけの簡単な構成で、光透過部材の光透過領域でグレアを抑制し、複数の高透過率部できらめき光による演出効果を得ることが期待できる。
【図面の簡単な説明】
【０００９】
【図１】第１の実施形態を示す照明装置の断面図である。
【図２】同上照明装置の正面図である。
【図３】同上照明装置の光透過部材の正面図である。
【図４】第２の実施形態を示す照明装置の断面図である。
【図５】同上照明装置の正面図である。
【図６】第３の実施形態を示す照明装置の斜視図である。
【発明を実施するための形態】
【００１０】
以下、第１の実施形態を、図１ないし図３を参照して説明する。
【００１１】
図１および図２に示すように、照明装置10は、例えば自動車の室内灯であり、車両側に取り付けられる照明装置本体としてのケース11、このケース11内に取り付けられる発光モジュール12、発光モジュール12に対向してケース11の前面側に配置される光透過部材13、発光モジュール12や光透過部材13を覆ってケース11の前面側に取り付けられるカバー14、および照明装置10の点灯モードを選択するスイッチユニット15を備えている。
【００１２】
そして、ケース11は、背面部17、この背面部17の周辺部から前方へ向けて形成された周壁部18、およびこの周壁部18の前端から周囲へ向けて形成されたフランジ部19を有し、幅方向に横長に形成されている。周壁部18の前面にはケース11の内部が開口する開口部20が形成され、フランジ部19には光透過部材13およびカバー14を取り付ける凹部21が形成されている。
【００１３】
また、発光モジュール12は、基板24、およびこの基板24の前面に実装された複数の発光素子25を有している。基板24はケース11の幅方向に沿って横長に形成され、基板24の背面側がケース11の背面部17に取り付けられている。発光素子25は、例えばＬＥＤであり、基板24の長手方向に沿って例えば３つのＬＥＤが配列されている。なお、ケース11の内側は、発光素子25が発光する光を反射させて照明装置10から効率よく取り出せるように、反射率の高い面に処理したり、反射部材を配置してもよい。
【００１４】
また、図１ないし図３に示すように、光透過部材13は、例えば樹脂製の薄いシートであり、開口部20の外形より大きく、フランジ部19の凹部21に嵌め込める寸法および形状に形成されている。さらに、光透過部材13には、スイッチユニット15が挿通する挿通孔28が形成されている。そして、フランジ部19の凹部21に配置された光透過部材13は、複数の発光素子25に対して所定の間隔をあけて対向されている。
【００１５】
光透過部材13は、全体が例えば乳白色に形成されたものであって所定の光透過率の光透過領域29に形成されており、この光透過領域29に光透過率が相対的に大きい複数の高透過率部30が設けられている。高透過率部30は、例えば、小円形の孔部や透明部によって構成され、光透過領域29の全体域にランダムに点在して配置されている。
【００１６】
また、図１および図２に示すように、カバー14は、例えば透明な樹脂製で、開口部20の外形より大きく、フランジ部19の凹部21に嵌め込める寸法および形状に形成されている。カバー14の周辺部には背面側に突出する縁部32が形成され、カバー14の内側部にはスイッチユニット15が挿通する挿通孔33が形成されている。そして、カバー14の周辺部には複数の爪部34が突設され、凹部21に嵌め込まれることで複数の爪部34がケース11側に引っ掛かって取り付けられている。
【００１７】
カバー14には、光透過部材13を透過した光が入射する内面に、カバー14から出射する光の出射方向を制御する光学制御手段35が形成されている。光学制御手段35は、光透過部材13を透過した光が入射する側が球面の凹面となる曲面形状の複数のレンズ部36で形成されている。複数のレンズ部36は、カバー14の周辺部および挿通孔33の部分を除く全体域に形成されている。
【００１８】
光透過部材13の高透過率部30とレンズ部36とは、同じ大きさ（径）、略同じ大きさ（径）、レンズ部36が高透過率部30より少し大きい大きさ（径）のいずれかであることが好ましい。例えば、レンズ部36は、高透過率部30の大きさ（径）以上、高透過率部30の大きさ（径）の２倍未満の範囲にあることが好ましい。
【００１９】
また、スイッチユニット15は、スライド操作部38を有するスライドスイッチによって構成されている。スライド操作部38を一端側にスライドしたオン位置で発光素子25が常に点灯し、他端側にスライドしたオフ位置で発光素子25が常に消灯し、一端側と他端側との中間のドア連動位置で自動車のドアの開閉に連動して発光素子25が点灯消灯する。
【００２０】
このように構成された照明装置10では、発光素子25の点灯により、複数の発光素子25から放射する光が光透過部材13およびカバー14を透過して車内である照明空間に照射される。
【００２１】
複数の発光素子25から光透過部材13の光透過領域29に入射した光は、光透過領域29で拡散されてカバー14の複数のレンズ部36に入射し、複数のレンズ部36でさらに拡散されてカバー14の前面から照明空間に出射される。このとき、光透過部材13の光透過領域29で複数の発光素子25を覆っているため、発光素子25からの光が拡散され、グレアが抑制される。
【００２２】
複数の発光素子25から光透過部材13の各高透過率部30に入射した光は、拡散されることなく、光透過領域29を透過する光よりも高い光度のまま光透過部材13を透過してカバー14のレンズ部36に入射し、レンズ部36で投影されてカバー14の前面から出射される。
【００２３】
そして、光透過部材13の光透過領域29を透過した光でカバー14全体が均一に光るとともに、このカバー14に光透過部材13の複数の高透過率部30を透過した光が複数の輝点となって点在することで、複数のきらめき光として見え、さらに、カバー14を見る位置が変化することで、カバー14の複数のきらめき光がきらめいて見える演出効果を得ることができる。
【００２４】
このように、照明装置10では、発光素子25とカバー14との間に光透過部材13を配置するだけの簡単な構成で、光透過部材13の光透過領域29でグレアを抑制し、複数の高透過率部30できらめき光による演出効果を得ることができる。
【００２５】
また、カバー14は、光透過部材13を透過した光が入射する面に、カバー14から出射する光の出射方向を制御する光学制御手段35を有することにより、グレアの抑制、およびきらめき光による演出効果を向上させることができる。
【００２６】
しかも、光学制御手段35を曲面形状の複数のレンズ部36で形成することにより、光透過部材13の複数の高透過率部30を透過する光をレンズ部36で投影し、カバー14をどの方向から見てもきらめき光が見えるようにでき、カバー14を見る位置の変化によって複数のきらめき光がきらめいて見えるようにできる。
【００２７】
なお、光透過部材13の高透過率部30とレンズ部36とは、同じ大きさ（径）、略同じ大きさ（径）、レンズ部36が高透過率部30より少し大きい大きさ（径）のいずれかであることが好ましい。例えば、レンズ部36は、高透過率部30の大きさ（径）以上、高透過率部30の大きさ（径）の２倍未満の範囲にあることが好ましい。レンズ部36が高透過率部30より小さいと、高透過率部30を透過した光が複数のレンズ部36に分散されやすくなってきらめき光が弱くなり、また、レンズ部36が高透過率部30より大きすぎると（例えば高透過率部30の大きさの２倍以上）、高透過率部30を透過した光が直に出射されてグレアが発生しやすくなる。
【００２８】
また、光透過部材13は、発光素子25よりもカバー14に近い位置に配置され、発光素子25との間の距離を広くあけている。光透過部材13と発光素子25との距離が狭いと、その発光素子25から離れた光透過部材13の位置からはきらめき光が出にくいが、光透過部材13と発光素子25との距離が広いと、その発光素子25から離れた光透過部材13の位置からもきらめき光が出やすくできる。
【００２９】
次に、第２の実施形態を、図４および図５を参照して説明する。なお、第１の実施形態と同じ符号を用い、同じ構成および作用効果については説明を省略する。
【００３０】
カバー14の周辺部に、ケース11のフランジ部19の前面側に配置される環状の枠部40が一体に形成されている。この枠部40の前面にはカバー14の前面に沿った面方向の複数の出射プリズム41が形成されている。
【００３１】
カバー14の背面側に突出する縁部32の内周面にはカバー14の前面に垂直な垂直方向の複数の入射プリズム42が形成され、縁部32の外側に発光素子25からの光を枠部40へ反射する反射面として機能する傾斜面43が形成されている。
【００３２】
そして、複数の発光素子25の点灯時、カバー14の中央域においては、第１の実施形態のように、光透過部材13の光透過領域29を透過した光でカバー14の中央域全体が均一に光るとともに、このカバー14の中央域に光透過部材13の複数の高透過率部30を透過した光が複数の輝点となって点在することで、複数のきらめき光として見え、さらに、カバー14を見る位置が変化することで、カバー14の複数のきらめき光がきらめいて見える演出効果を得ることができる。
【００３３】
さらに、発光素子25からカバー14の入射プリズム42に入射した光の一部が枠部40へ直接向い、また一部の光が傾斜面43で反射して枠部40へ向い、枠部40の出射プリズム41から出射される。これにより、カバー14の枠部40が輝いて見える演出効果を得ることができる。
【００３４】
なお、光透過部材13をカバー14の縁部32より内側に取り付け、発光素子25からの光が入射プリズム42に直接入射するようにしてもよく、この場合、光透過部材13を透過した光が入射プリズム42に入射する場合に比べて、枠部40の輝きが増し、演出効果を向上できる。
【００３５】
次に、第３の実施形態を、図６を参照して説明する。なお、各実施形態と同じ符号を用い、同じ構成および作用効果については説明を省略する。
【００３６】
本実施形態の照明装置10は、ブラケットと言われている壁面用照明器具であり、壁面に取り付けられる照明装置本体、この照明装置本体に取り付けられる発光モジュール12、および発光モジュール12を覆って照明装置本体に取り付けられるカバー14を備えている。
【００３７】
発光モジュール12の発光素子25とカバー14と間に光透過部材13を配置することにより、光透過部材13の光透過領域29でグレアを抑制し、複数の高透過率部30できらめき光による演出効果を得ることができる。
【００３８】
なお、前記各実施形態において、カバー14の光学制御手段35（レンズ部36）は、球面形状に限らず、円錐形状、多角錐形状でも構わない。
【００３９】
また、カバー14は、複数のレンズ部36を形成しなくてもよく、この場合でも、カバー14に光透過部材13の複数の高透過率部30を透過する光が複数の輝点となって点在することで、きらめき光として見えるようにできる。
【００４０】
また、照明装置10としては、ブラケットに限らず、シーリングライトなど、カバーを用いる照明装置に適用することができる。
【００４１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４２】
10    照明装置
13    光透過部材
14    カバー
25    発光素子
29    光透過領域
30    高透過率部
35    光学制御手段
36    レンズ部
【図１】
2014211996.tif 000003
【図２】
2014211996.tif 000004
【図３】
2014211996.tif 000005
【図４】
2014211996.tif 000006
【図５】
2014211996.tif 000007
【図６】
2014211996.tif 000008